(57)【特許請求の範囲】
【請求項１】
光源（１）と、前記光源からの光が入射する面である側面と互いに平行な上下面とを有する透明基板（３）とを備え、
前記透明基板には、前記透明基板の屈折率とは異なる屈折率を有する材料を内部に有する溝（３１）が配置されるとともに、前記透明基板（３）の屈折率をｎとし、前記溝内の前記材料の屈折率をｎ１とし、反射表示用照明装置の視野角をβとするとき、
前記溝と前記透明基板の上面とのなす角のうちの鋭角θが、
（数１）
θ＜ｓｉｎ−１（ｎ１／ｎ）−ｓｉｎ−１｛（１／ｎ）ｓｉｎ（β）｝＜９０°
の条件を満たすようにしたことを特徴とする反射表示用照明装置。
【請求項２】
少なくとも光源（１）と、前記光源からの光が入射する面を側面とする透明な第１の基板（３０）と、前記第１の基板の上面方向に配置された透明な第２の基板（６）とを備えて構成され、
前記第１の基板の下面は平面であり、前記第１の基板の上面には階段状の斜面（１３１）が配置され、
前記第２の基板の下面は階段状の斜面が前記第１の基板の前記上面の前記斜面と同形状で配置され、前記光源の出射口にコリメータ（５）を配置し、
前記第１の基板の屈折率をｎとし、前記第１の基板と前記第２の基板の間に配置された材料の屈折率をｎ２とし、反射表示用照明装置の視野角をβとするとき、
前記第１の基板の前記上面および前記第２の基板の前記下面の斜面の角度のうちの鋭角θが、
（数２）
θ＜ｓｉｎ−１（ｎ２／ｎ）−ｓｉｎ−１｛（１／ｎ）ｓｉｎ（β）｝＜９０°
の条件を満たすようにするとともに、
上記斜面（１３１）のピッチ（３２）は、上記第１の基板の光源より遠ざかるにつれて小さくなるとともに、上記斜面長さ（３３）を、上記第１の基板の光源より遠ざかるにつれて大きくなるようにしたことを特徴とする反射表示用照明装置。
【請求項３】
前記光源の出射口に配置されたコリメータ（５）の光線出射角度が±ｓｉｎ−１［ｎ＊ｓｉｎ｛９０−θ−ｓｉｎ−１（ｎ２／ｎ）｝］以内であるようにした請求項２に記載の反射表示用照明装置。
【請求項４】
前記光源の出射口に配置されたコリメータ（５）は光線入射面が平面であり、前記第１の基板の屈折率をｎとし、前記第１の基板と前記第２の基板を貼り合わせている材料の屈折率をｎ２とし、前記コリメータの屈折率をｎ３とし、前記コリメータの出射面（５２）の円錐形の凹部を構成する凸部の頂角の半分の角度δが
（数３）
ｓｉｎ−１［ｎ＊ｓｉｎ｛９０−θ−ｓｉｎ−１（ｎ２／ｎ）｝］＝９０−δ−ｓｉｎ−１［ｎ３＊ｓｉｎ｛９０−δ−ｓｉｎ−１（１／ｎ３）｝］
を満たす値であるとしたとき、前記コリメータの出射面が角度＋δまたは角度−δの斜面が複数個配置されている請求項２又は３に記載の反射表示用照明装置。
【請求項５】
前記光源の出射口に配置されたコリメータ（５）は光線入射面が平面であり、前記第１の基板の屈折率をｎとし、前記第１の基板と前記第２の基板を貼り合わせている材料の屈折率をｎ２とし、前記コリメータの屈折率をｎ３とし、前記コリメータの出射面（５２）の円錐形の凹部を構成する凸部の頂角の半分の角度δが
（数４）
δ＝ｓｉｎ−１［ｎ＊ｓｉｎ｛９０−θ−ｓｉｎ−１（ｎ２／ｎ）｝］
を満たす値であるとしたとき、前記コリメータの出射面が角度＋δまたは角度−δの斜面が複数個配置されている請求項２又は３に記載の反射表示用照明装置。
【発明の詳細な説明】
【０００１】
【発明の属する技術分野】
本発明は、書籍や写真などの印刷物や、パーソナルコンピュータなどのＯＡ機器、携帯情報端末、ポータブルビデオテープレコーダーなどの画面表示装置、又は、各種モニタに使用される反射型液晶表示装置、などに用いられる反射表示用照明装置に関するものである。
【０００２】
【従来の技術】
近年、パーソナルコンピュータや携帯情報端末、ビデオテープレコーダーなどは小型化、ポータブル化が進んでおり、画像表示装置の消費電力低減が重要な課題となっている。このため、画像表示装置に反射型液晶表示装置を用いるものが多数存在している。
反射型液晶表示素子は、太陽光や室内光などの外光を反射させることにより画面の明るさを得ている。しかし、外光の少ないところでは画面に十分な明るさが得られない。そこで、外光の十分でないところにおいても画面表示可能とする照明装置の付いた反射型液晶表示装置がいくつか発明されている。
反射型液晶表示素子に取り付けられる照明装置の一例を示す。図１６は従来の照明装置の断面図の模式図である。図１６に示すとおり、従来の照明装置は、光源１、リフレクタ２、導光体６３、補償板５によって構成される。リフレクタ２は光源１から発射された光線を平行化するために、光源１から導光体６３の側面までの距離を長くしている。導光体６３は、リフレクタ２より導入された光線を全反射によって伝搬する機能と、上面の溝の斜面によって光線を全反射させ、光線角度を変えることによって反射板４を照明する機能を有する。補償板５は反射板４からの反射光が導光体６３を通過する際に生じる歪みを、補正する機能を有する。
【０００３】
【発明が解決しようとする課題】
しかしながら、従来の照明装置は、導光体６３より補償板５に透過した光線が補償板５上面にて全反射したのち再び導光体６３に入射するとき、光線の一部が導光体６３の上面の溝の斜面で反射するため、溝筋が見えやすいという問題点がある。また、この溝筋が見えやすいという問題点を軽減化するために、リフレクタ２によって光線を平行化しているが、平行化された光は導光体６３の溝の斜面に当たらず、導光体６３の光源側と反対側に到達しやすいため、照明効率が低いという問題点がある。
そこで、本発明は、かかる問題点を解決することを課題とし、溝筋が見えにくく、反射光の画像が良好に保たれ、照明効率がよい、反射表示用照明装置を提供することを目的とする。
【０００４】
【課題を解決するための手段及びその作用】
上記目的を達成するために、本発明は以下のように構成している。
本発明の第１態様によれば、  光源と、前記光源からの光が入射する面である側面と互いに平行な上下面とを有する透明基板とを備え、
前記透明基板には、前記透明基板の屈折率とは異なる屈折率を有する材料を内部に有する溝が配置されるとともに、前記透明基板の屈折率をｎとし、前記溝内の材料の屈折率をｎ１とし、反射表示用照明装置の視野角をβとするとき、
前記溝と前記透明基板の上面とのなす角のうちの鋭角θが、
（数５）
θ＜ｓｉｎ−１（ｎ１／ｎ）−ｓｉｎ−１｛（１／ｎ）ｓｉｎ（β）｝＜９０°
の条件を満たすようにしたことを特徴とする反射表示用照明装置を提供する。
【０００５】
本発明の第２態様によれば、少なくとも光源と、前記光源からの光が入射する面を側面とする透明な第１の基板と、前記第１の基板の上面方向に配置された透明な第２の基板とを備えて構成され、
前記第１の基板の下面は平面であり、前記第１の基板の上面には階段状の斜面が配置され、
前記第２の基板の下面は階段状の斜面が前記第１の基板の前記上面の前記斜面と同形状で配置され、前記光源の出射口にコリメータを配置し、
前記第１の基板の屈折率をｎとし、前記第１の基板と前記第２の基板の間に配置された材料の屈折率をｎ２とし、反射表示用照明装置の視野角をβとするとき、
前記第１の基板の前記上面および前記第２の基板の前記下面の斜面の角度のうちの鋭角θが、
（数６）
θ＜ｓｉｎ−１（ｎ２／ｎ）−ｓｉｎ−１｛（１／ｎ）ｓｉｎ（β）｝＜９０°
の条件を満たすようにするとともに、
上記斜面のピッチは、上記第１の基板の光源より遠ざかるにつれて小さくなるとともに、上記斜面長さを、上記第１の基板の光源より遠ざかるにつれて大きくなるようにしたことを特徴とする反射表示用照明装置を提供する。
【０００６】
本発明の第３態様によれば、第２態様において、前記光源の出射口に配置されたコリメータの光線出射角度が±ｓｉｎ-1［ｎ＊ｓｉｎ｛９０−θ−ｓｉｎ-1（ｎ2／ｎ）｝］以内であるようにした反射表示用照明装置を提供する。
本発明の第４態様によれば、第２又は３の態様において、前記光源の出射口に配置されたコリメータは光線入射面が平面であり、前記第１の基板の屈折率をｎとし、前記第１の基板と前記第２の基板を貼り合わせている材料の屈折率をｎ２とし、前記コリメータの屈折率をｎ３とし、前記コリメータの出射面の円錐形の凹部を構成する凸部の頂角の半分の角度δが
（数７）
ｓｉｎ-1［ｎ＊ｓｉｎ｛９０−θ−ｓｉｎ-1（ｎ2／ｎ）｝］＝９０−δ−ｓｉｎ-1［ｎ3＊ｓｉｎ｛９０−δ−ｓｉｎ-1（１／ｎ3）｝］
を満たす値であるとしたとき、前記コリメータの出射面が角度＋δまたは角度−δの斜面が複数個配置されている反射表示用照明装置を提供する。
本発明の第５態様によれば、第２又は３の態様において、前記光源の出射口に配置されたコリメータは光線入射面が平面であり、前記第１の基板の屈折率をｎとし、前記第１の基板と前記第２の基板を貼り合わせている材料の屈折率をｎ２とし、前記コリメータの屈折率をｎ３とし、前記コリメータの出射面の円錐形の凹部を構成する凸部の頂角の半分の角度δが
（数８）
δ＝ｓｉｎ-1［ｎ＊ｓｉｎ｛９０−θ−ｓｉｎ-1（ｎ2／ｎ）｝］
を満たす値であるとしたとき、前記コリメータの出射面が角度＋δまたは角度−δの斜面が複数個配置されている反射表示用照明装置を提供する。
【０００７】
本発明の第１〜３態様によれば、前記光源から出射された光は前記透明基板に入射し、透明基板内で全反射を繰り返しながら伝搬していく。このとき、光線は角度によって、透明基板の内部にある前記スリットによって全反射するものと、透過するものに分けられる。全反射した光線は角度を変えられ、全反射角より小さくなってしまうために透明基板の下面側に出射する。また、透過した光線は透明基板の上面で全反射し、引き続き透明基板内を伝搬するため、透明基板のスリット筋は見えにくい。また、スリットを透過し、溝筋を見えにくくするために従来必要であったコリメータが不要となるので、ほとんど全ての光線が透明基板の下側へ射出するため、照明効率が良い。
また、透明基板の下面より出射した光は、被照明物を照射し、被照明物からの反射光は、透明基板に再び入射されるが、
【数９】
θ＜ｓｉｎ−１（ｎ１／ｎ）−ｓｉｎ−１｛（１／ｎ）ｓｉｎ（β）｝
であるために、視野角に影響されず、良好な画像を表示することができる。
このように、溝筋が見えにくく、照明効率のよい、照明装置を提供することが可能である。
【０００８】
また本発明の第４〜９態様によれば、前記光源から出射した光線は前記コリメータによって平行にされ、前記第１の基板に導入される。第１の基板に入射した光は第１の基板の斜面において全反射し、光線角度が全反射角よりも小さくなってしまうために下面側に出射する。
また、第１の基板の下面より出射した光は、被照明物を照明し、被照明物からの反射光は、第１の基板に再び入射されるが、前記第２の基板があるため、画像の歪みがなく、また、
【数１０】
θ＜ｓｉｎ-1（ｎ1／ｎ）−ｓｉｎ-1｛（１／ｎ）ｓｉｎ（β）｝
であれば、視野角に影響されず、良好な画像を表示することができる。
また、コリメータの光線出射角度が±｛９０−θ−ｓｉｎ-1（ｎ1／ｎ）｝以内であれば、光源から出射された光線はすべて第１の基板の斜面で全反射し、被照明物に照明することが可能であり照明効率が良い。
このように、溝筋が見えにくく、反射光の画質が良好に保たれ、照明効率のよい、照明装置を提供することが可能である。
【０００９】
【発明の実施の形態】
以下、本発明の第１実施形態による照明装置について、図面を参照しながら説明する。
図１は本発明の第１実施形態における照明装置の断面の模式図を示すものである。本発明の第１実施形態における照明装置は、照明装置を上方から観察者が見る角度（以下視野角と呼ぶ）をβとする。
図１において、１は光源であり、例えば、熱陰極管、若しくは冷陰極管などの蛍光灯、あるいは発光ダイオードを線状に配列したもの、あるいは白熱灯、あるいは有機発光材料を線状に形成したものであり、導光体３の側面に配置される。図１において、２はリフレクタであり、光源１を覆うようにして配置され、内面は反射率が高く、拡散性が小さくなるように構成される。例えば、樹脂のシートに銀、若しくはアルミなどの反射率の高い材料を蒸着し、このシートを薄い金属板、あるいは樹脂のシートに接着してリフレクタを構成したものである。光源１が蛍光灯の場合、光源１とリフレクタ２との隙間は、ガラスの屈折率１．５に近い材料で充填するのが望ましい。また、光源１側における導光体３の側面厚みとリフレクタ２の高さは同じであるのが望ましい。その理由は、導光体３は薄いほうが望ましいが、入射効率のため、厚さの下限値がリフレクタ２の高さとなるためである。
図１において、３は透明基板（以下導光体と呼ぶ）であり、石英、ガラス、透明樹脂、例えばアクリル系樹脂、若しくはポリカーボネイトなどを材料とする。導光体３の上面と下面はほぼ平行であり、上面から見ると導光体２はほぼ長方形である。導光体３の側面と上面、側面と下面とは、それぞれ、ほぼ９０度の角度をなす。導光体３の上面にはスリット３１が形成される。
【００１０】
図２にスリット３１の部分の詳細図を示す。スリット３１は光源１の長手方向にほぼ平行に延在している。スリット３１の中は、屈折率の低い材料で満たされており、例えば空気若しくはフッ素系の樹脂で構成される。また、スリット３１は、導光体の屈折率をｎとし、スリット内部の屈折率をｎ１とし、スリット３１と導光体上面とのなす角をθとし、視野角をβとするとき、
【数１１】
θ＜ｓｉｎ-1（ｎ1／ｎ）−ｓｉｎ-1｛（１／ｎ）ｓｉｎ（β）｝
の条件を満たす。
第１実施形態では導光体材料をＰＭＭＡ（Polymethylmetacrylate）とし、スリット内部を空気とし、視野角を４０度としたので、ｎ＝１．５、ｎ1＝１、β＝４０より、スリット３１と上面とのなす角θは１６度とした。また、スリット３１の長さ３３を５０μｍとし、スリット３１のピッチ３２は２００μｍとした。また、視野角β＝３０のときはθ＝２２．３４°となる。
図１において、４は反射板である。反射板４は、例えば、書籍や写真などの印刷物や、パーソナルコンピュータなどのＯＡ機器、携帯情報端末、若しくはポータブルビデオテープレコーダーなどの画面表示装置、又は各種モニタに使用される反射型液晶表示装置などを意味する。
【００１１】
次に、図３を用いて導光体３内での光の伝搬について説明する。
導光体３に入射された光は、導光体３の屈折率をｎとすると、スネルの法則により、放射分布が±ｓｉｎ-1（１／ｎ）の光となる。導光体３の上記した材料のほとんどは、屈折率が１．４２以上であるので、放射分布は±４４．７７度の範囲となる。ところで、導光体３は、上面と下面がほぼ平行であり、導光体３への入射面である側面と上面及び側面と下面は、それぞれ、ほぼ９０度の角度をなすので、側面から入射した光が上面あるいは下面に入射すると、入射角の最小値は９０−４４．７７＝４５．２３度となる。屈折率が１．４２以上のとき、全反射角は４４．７７度以下となるので、側面から入射した光は上面及び下面で全反射することになる。
導光体３を伝搬する光のうちスリット３１の近傍以外の場所では、導光体３の上面及び下面の平坦部で全反射する。スリット３１の部分では、光線の角度によって透過する光線と、全反射する光線とに分かれる。図３に示すように、光線と導光体３の上面とがなす角度をαとすると、
【数１２】
α＞９０−θ−ｓｉｎ-1（ｎ1／ｎ）
のときスリット３１を透過し、
【数１３】
α＜９０−θ−ｓｉｎ-1（ｎ1／ｎ）
のときスリット３１で全反射する。
【００１２】
スリット３１を透過した光線は、導光体３の上面の平坦部で全反射し、再び伝搬していく。スリット３１で全反射した光線は、導光体３の下面から出射するが、下面への入射角は｛９０−（２θ＋α）｝であり、スネルの法則より、
【数１４】
９０−（２θ＋α）＜ｓｉｎ-1（１／ｎ）
のとき、導光体３の下面より出射して、反射板４を照明する。
このようにして第１実施形態の照明装置は反射板４を照明するが、光源１から出た光はコリメートされる必要がないので、スリット３１にて全反射する率が高く、効率良く反射板４を照明することができる。また、スリット３１を透過した光は導光体３を再び伝搬するため、溝筋が見えにくいという効果がある。
【００１３】
次に、反射板４を照明した後の反射光の伝搬について図４を用いて説明する。導光体３より照明された光線は反射板４を照明し、反射光を返す。反射光は導光体３に下面より再入射し、スリット３１の近傍以外ではそのまま導光体３の上面から出射される。
スリット３１の近傍では、反射光の導光体３の下面への入射角をγとすると、
［数１５］
θ＋ｓｉｎ-1｛（１／ｎ）ｓｉｎ（γ）｝＞ｓｉｎ-1（ｎ１／ｎ）
のときスリット３１にて全反射する。このため、反射光４１が角度γで導光体３の下面より入射したとき、γ＞βのときスリット３１で全反射して観察者には到達しないが、γ≦βのときスリット３１で透過し観察者まで到達する。
そこで、スリット３１で透過する条件は、［数１５］より
θ＋ｓｉｎ-1｛（１／ｎ）ｓｉｎ（γ）｝＜ｓｉｎ-1（ｎ１／ｎ）  .....（１５Ａ）
でかつγ≦βである。すなわち、
上記式（１５Ａ）において、［ｓｉｎ-1｛（１／ｎ）ｓｉｎ（γ）｝］の項を右辺に移動させると、
θ＜ｓｉｎ-1（ｎ１／ｎ）−ｓｉｎ-1｛（１／ｎ）ｓｉｎ（γ）｝
となり、γ≦βであるから、スリット３１の角度θは、
θ＜［ｓｉｎ-1（ｎ１／ｎ）−ｓｉｎ-1｛（１／ｎ）ｓｉｎ（β）｝］≦［ｓｉｎ-1（ｎ１／ｎ）−ｓｉｎ-1｛（１／ｎ）ｓｉｎ（γ）｝］
となり、
［数１６］
θ＜ｓｉｎ−1（ｎ1／ｎ）−ｓｉｎ-1｛（１／ｎ）ｓｉｎ（β）｝
という［数１６］が導出される。このことより、反射光は視野角±βの範囲内ではスリット３１の部分で全反射しないため、観察者の視野を妨げず、良好な画像を得られる。
【００１４】
以上により、本第１実施形態によれば、導光体３の溝筋が見えにくく、反射光の画像が良好に保たれ、照明効率のよい、照明装置を提供することが可能である。また、均一照明が可能であり、光源１から出た光をコリメートする必要がないので、リフレクタ２を小さくすることができ、上記したようにリフレクタ２の高さと導光体３の側面の高さとをほぼ同等にするため、リフレクタ２の高さに応じて導光体３の側面の厚みも小さくすることができる。
なお、第１実施形態では、スリット３１は導光体３の上面に配置したが、図１１に示すように導光体３の上面と下面との間に、若しくは図１２に示すように導光体３の下面に、若しくは図１３に示すように導光体３の上面側から下面側に向けて斜めに配置するようにしてもよい。
また、第１実施形態では、導光体３の上面と下面が平行であるが、平行でなくても良い。
また、第１実施形態ではスリット３１のピッチ３２を等間隔としたが、導光体３の光源１より遠ざかるにつれて小さくすると、光源１から近い所と遠い所とで輝度差が少なくなり、より均一な照明が得られる。また、スリット３１の長さ３３を、導光体３の光源１より遠ざかるにつれて大きくしても同様の効果が得られる。また、スリット３１の角度θを光源１より遠ざかるにつれて大きくしても同様の効果が得られる。
【００１５】
以下、本発明の第２実施形態による照明装置について、図５を用いて説明する。
図５は、本発明の第２実施形態における照明装置の断面の模式図である。本発明の第２実施形態における照明装置は、視野角をβとする。
図５において、光源１及びリフレクタ２は第１実施形態と同様である。
図５において、３０は第１の透明基板の一例としての導光体であり、６は導光体３０の上に配置された第２の透明基板の一例としての補償板である。５は光源１と導光体３０との間に配置されたコリメータであり、光源１から出射された光を平行化する。導光体３０の上面の階段状の斜面１３１の角度をθとし、導光体３０の屈折率をｎとし、導光体３０と補償板６の間の材料の屈折率をｎ2として、コリメータ５の出射特性は、±ｓｉｎ-1［ｎ＊ｓｉｎ｛９０−θ−ｓｉｎ-1（ｎ2／ｎ）｝］以内である。
例えば、β＝４０、ｎ＝１．５、ｎ2＝１のとき、θ＝１６°であり、コリメータ５の出射特性は、±５２．１３°である。また、β＝３０、ｎ＝１．５、ｎ2＝１のときは、θ＝２２．３４であり、コリメータ５の出射特性は±４０．８５°である。
コリメータ５の構造は、例えば、上記出射特性を満たす、平凸のシリンドリカルレンズで実現可能である。また、コリメータ５は回折格子であっても良い。また、照明装置の視野角βが大きい場合は、コリメータ５の出射特性角度が大きいのでコリメータ５がなくても良い。
【００１６】
導光体３０は、石英、ガラス、透明樹脂、例えばアクリル系樹脂、若しくはポリカーボネイトなどを材料とする。図６に導光体３０の詳細な図を示す。導光体３０は下面は平面であり、上面は階段状の斜面１３１が所定の間隔をおいて複数本配置されている。各斜面１３１は光源１の長手方向にほぼ平行である。
斜面１３１の角度をθとし、導光体３０の材質の屈折率をｎとし、導光体３０と補償板６との間の材料の屈折率をｎ2とし、視野角をβとするとき、斜面１３１の角度θは、
【数１７】
θ＜ｓｉｎ-1（ｎ2／ｎ）−ｓｉｎ-1｛（１／ｎ）ｓｉｎ（β）｝
である。斜面１３１のピッチ３２は、導光体３０の光源１より遠ざかるにつれて小さくすると良い。また斜面１３１の長さ３３を、導光体３０の光源１より遠ざかるにつれて大きくしても良い。また、斜面１３１の角度θを光源１より遠ざかるにつれて大きくしても良い。また、導光体３０は上面から見るとほぼ長方形である。
補償板６は、石英、ガラス、透明樹脂、例えばアクリル系樹脂、若しくはポリカーボネイトなどを材料とする。補償板６は、下面は階段状の斜面６１が前記導光体３０の上面の斜面１３１と同形状で配置され、上面は平面である。導光体３０の上面と補償板６の下面は所定の間隔をもって配置されている。
図５において、４は反射板である。反射板４は例えば、書籍や写真などの印刷物や、パーソナルコンピュータなどのＯＡ機器、携帯情報端末、若しくはポータブルビデオテープレコーダーなどの画面表示装置、各種モニタに使用される反射型液晶表示装置などである。
【００１７】
次に、図７を用いて第２の実施形態の導光体３０内での光の伝搬について説明する。導光体３０に入射した光は、導光体３０の斜面１３１の近傍以外の場所では導光体３０の上面または下面の平坦部において全反射しながら伝搬していく。導光体３０の斜面１３１の近傍では、光線の角度によって透過する光線と、全反射する光線とに分かれる。導光体３０の屈折率をｎとし、導光体３０と補償板６の間の材料の屈折率をｎ2とし、導光体３０の下面と光線がなす角度をαとし、導光体３０の斜面１３１の角度をθとすると、
【数１８】
α＞９０−θ−ｓｉｎ-1（ｎ2／ｎ）
のとき導光体３０の斜面１３１を透過し、
【数１９】
α＜９０−θ−ｓｉｎ-1（ｎ2／ｎ）
のとき導光体３０の斜面１３１で全反射する。
【００１８】
導光体３０の斜面１３１を透過した光線は、補償板６の光源１とは反対側に到達した後に反射するため、観察者側に出射する可能性が高く、照明効率を劣化させる。しかし、光源１のコリメータ５の出射特性が、±ｓｉｎ-1［ｎ＊ｓｉｎ｛９０−θ−ｓｉｎ-1（ｎ2／ｎ）｝］以内であるため、導光体３０へ入射される光線は、±｛９０−θ−ｓｉｎ-1（ｎ2／ｎ）｝以内となり、したがって（数１９）の式を満たすため、ほとんどの光線は導光体３０の斜面１３１で全反射し、反射板４を照明する。
よって、光源１から出射された光は効率良く反射板４を表示することが可能である。また、このように効率良く反射板４を照明するため、導光体３０の斜面１３１より観察者側に透過する光線が少ないので、溝筋が見えにくいという効果がある。
【００１９】
次に、反射板４を照明した後の反射光の伝搬について図８を用いて説明する。導光体３０より照明された光線は反射板４を照明し、反射光を返す。反射光は導光体３０に下面より再入射し、導光体３０の斜面１３１の近傍以外ではそのまま上面から出射される。
導光体３０の斜面１３１の近傍では、反射光の導光体３０の下面への入射角をγとすると、
【数２０】
θ＋ｓｉｎ-1｛（１／ｎ）ｓｉｎ（γ）｝＞ｓｉｎ-1（ｎ2／ｎ）
のとき導光体３０の斜面１３１にて全反射する。このため、反射光４１が角度γで導光体の下面より入射したとき、γ＞βのとき斜面１３１で全反射して観察者には到達しないが、γ≦βのとき斜面１３１を透過して観察者まで到達する。
このことと、導光体３０の斜面１３１の角度θが、
【数２１】
θ＜ｓｉｎ-1（ｎ2／ｎ）−ｓｉｎ-1｛（１／ｎ）ｓｉｎ（β）｝
であることより、反射光は視野角±βの範囲内では導光体３０の斜面１３１の部分で全反射しないため、観察者の視野を妨げず、良好な画像を得られる。
【００２０】
以上により第２の実施形態によれば、導光体３０の溝筋が見えにくく、反射光の画像が良好に保たれ、照明効率のよい、照明装置を提供することが可能である。
なお、第２実施形態では、階段状の溝としたが図１４に示すような任意の曲線でもよい。また、第２実施形態では斜面１３１のピッチ３２を等間隔としたが、導光体３０の光源１より遠ざかるにつれて小さくすると、光源１から近い所と遠い所とで輝度差が少なく、均一な照明が得られる。また、斜面１３１の長さ３３を、導光体３０の光源１より遠ざかるにつれて大きくしても同様の効果が得られる。また、斜面１３１の角度θを光源１より遠ざかるにつれて大きくしても同様の効果が得られる。
また、図１７のように、補償板６の上面と導光体３０の下面が平行でなくても同様の効果が得られる。
また、図１８のように、補償板６の上面が曲面であっても同様の効果が得られる。
【００２１】
以下、本発明の第３実施形態による照明装置について説明する。
本発明の第３実施形態の構造は第２実施形態とほぼ同一であり、コリメータ５の構造のみ異なる。
図９を用いて第３実施形態のコリメータ５の構造を説明する。コリメータ５の光線入射面５１は平面である。コリメータ５の出射面５２は、頂角２δの円錐形の凹部が複数設けられた構造となっている。
導光体３０の屈折率をｎとし、導光体３０と補償板６を貼り合わせている材料の屈折率をｎ2とし、コリメータ５の屈折率をｎ3としたとき、δは
【数２２】
ｓｉｎ-1［ｎ＊ｓｉｎ｛９０−θ−ｓｉｎ-1（ｎ2／ｎ）｝］＝９０−δ−ｓｉｎ-1［ｎ3＊ｓｉｎ｛９０−δ−ｓｉｎ-1(１／ｎ3）｝］
を満たす値である。
【００２２】
次に、図１０を用いて、コリメータ５の動作を説明する。光源１から発した光線がコリメータ５の入射面５１から入射すると、その放射分布は±ｓｉｎ-1（１／ｎ3）である。よって、コリメータ５の出射側の斜面５２に入射される光線角度は幾何的に求まり、入射角最小値ｉminは、
【数２３】
ｉmin＝９０−δ−ｓｉｎ-1（１／ｎ3）
であり、入射角最大値ｉmaxは、
【数２４】
ｉmax＝９０
である。
また、コリメータ５から出射される光線角度はスネルの法則より求まり、出射側の斜面５２に対する出射角度最小値ｏminは、
【数２５】
ｏmin＝ｓｉｎ-1｛ｎ3＊ｓｉｎ（ｉmin）｝
であり、出射角最大値ｏmaxは、
【数２６】
ｏmax＝９０
である。
【００２３】
出射側の斜面５２はδだけ光軸に対して傾いているので、出射角最大値ωmaxは、
【数２７】
ωmax＝９０−δ−ｏmin
であり、また出射角最小値ωminは、
【数２８】
ωmin＝−δ
である。すなわち、
【数２９】
ωmax＝９０−δ−ｓｉｎ-1［ｎ3＊ｓｉｎ｛９０−δ−ｓｉｎ-1（１／ｎ3）｝］
【数３０】
ωmin＝−δ
である。
【００２４】
ところで、導光体３０の斜面１３１の角度をθ、導光体３０と補償板６との間にある材料の屈折率をｎ2としたとき、必要なコリメータ５の出射特性は±ｓｉｎ-1［ｎ＊ｓｉｎ｛９０−θ−ｓｉｎ-1（ｎ2／ｎ）｝］以内である。δは、ｓｉｎ-1［ｎ＊ｓｉｎ｛９０−θ−ｓｉｎ-1（ｎ2／ｎ）｝］＝９０−δ−ｓｉｎ-1［ｎ3＊ｓｉｎ｛９０−δ−ｓｉｎ-1（１／ｎ3）｝］を満たす値としているので、ωmax＝（コリメータ５の出射特性）となっており、所望の出射特性を満たしている。
例えば、視野角β＝３０、ｎ＝１．５、ｎ2＝１、ｎ3＝１．５としたときにθ＝２２．４となり、必要な出射特性は４０．８５°であり、δ＝４６．２°としたときの出射角度は、ωmax＝＋４０．８１°、ωmin＝−４６．２°となり、所望のコリメータ５の出射特性が得られる。また、δ＝ｓｉｎ-1［ｎ＊ｓｉｎ｛９０−θ−ｓｉｎ-1（ｎ2／ｎ）｝］を満たす値とすると、上記の例でδ＝４０．８５°、ωmax＝＋３８．１０°、ωmin＝−４０．８５°となるので、所望のコリメータ５の出射特性が得られる。また、上記条件でδは４０．８５°以上４６．２°以下の任意の値としても良い。
【００２５】
以上のように第３実施形態を用いれば、導光体３０に必要な出射特性を満足するコリメータ５を実現でき、第２実施形態と同様の効果を得ることができる。
なお、第３実施形態ではコリメータ５の出射面５２の形状を頂角２δの円錐形の凹部としたが、頂角２δの円錐形の突起でもよい。また、円錐形の代わりに断面の頂角２δの多角錘でもよい。また、図１５（Ａ），（Ｂ）に示すような、頂角２δの平行な溝であっても良い。
【００２６】
【発明の効果】
以上のように、本発明の一態様によれば、平板状の導光体の側面に光源例えば線状光源を配置し、導光体の内部にスリットを光源とほぼ平行に延在するように配置することによって、前記導光体の内部を伝搬する光の大部分を、導光体に形成されたスリットでの全反射によって導光体より射出し、被照明物の例としての反射板を照射することができ、またスリットにおいて全反射せず、透過する光は再び導光体内部を伝搬するため、溝筋が見えにくく、また反射板からの反射光は歪みがなく観察者側へ透過するので、反射板の良好な画質を保つことが可能である。また、光源から出射される光線をコリメートする必要がないため、反射表示用照明装置を小型化でき、また全ての光線がスリットでの全反射によって導光体より射出されるので照明効率がよい。また、スリットを所定の角度で配置することにより、観察者の視野内でスリット部とスリット部以外での輝度差が少なく、反射光の良好な画質を保つことが可能である。
【００２７】
また、本発明の別の態様によれば、第１の透明基板の例としての導光体の側面に光源例えば線状光源を配置し、光源から出射される光をコリメータによって平行化し、前記導光体の形状を下面が平面で上面が階段状の斜面が所定の角度で設けられたものとし、上面が平面で下面が前記導光体と同形状の溝が設けられた第２の透明基板の例としての補償板を前記導光体に貼り合わせることにより、前記導光体の内部を伝搬する光の大部分を前記導光体の階段状の斜面での全反射によって前記導光体より射出し、被照明物の例としての反射板を照射することができる。また、補償板があるため反射板からの反射光は歪みがなく観察者側へ透過するので、前記反射板の良好な画質を保つことが可能である。また、光源から出射される光は、前記コリメータによって所定の角度に平行化されるので前記導光体から前記補償板へ透過せず、反射板を効率よく照明することが可能であり、また溝筋が見えにくい。また、階段状の斜面を所定の角度にすることによって、観察者の視野内で階段状の斜面部と斜面部以外での輝度差が少なく、反射光の良好な画質を保つことが可能である。
また、本発明のさらに別の態様によれば、導光体に必要な出射特性を満足するコリメータを実現でき、前記した態様の効果をも得ることができる。
【図面の簡単な説明】
【図１】  本発明の第１実施形態における照明装置の断面の模式図
【図２】  第１実施形態におけるスリットの配置を示す模式図
【図３】  第１実施形態における導光体内での光の伝搬について説明するための図
【図４】  第１実施形態における導光体内での反射光の伝搬について説明するための図
【図５】  本発明の第２実施形態における照明装置の断面の模式図
【図６】  第２実施形態における導光体内での光の伝搬について説明するための図
【図７】  第２実施形態における導光体内での光の伝搬について説明するための図
【図８】  第２実施形態における導光体内での反射光の伝搬について説明するための図
【図９】  （Ａ），（Ｂ）は第２実施形態におけるコリメータの概略断面側面図及び平面図
【図１０】  第２実施形態におけるコリメータの動作を説明するための図
【図１１】  本発明の第１実施形態における照明装置の一変形例の断面の模式図
【図１２】  本発明の第１実施形態における照明装置の別の変形例の断面の模式図
【図１３】  本発明の第１実施形態における照明装置のさらに別の変形例の断面の模式図
【図１４】  本発明の第２実施形態における照明装置の一例の断面の模式図
【図１５】  （Ａ），（Ｂ）は本発明の第３実施形態における照明装置のコリメータの概略断面側面図及び平面図
【図１６】  従来の照明装置の断面の模式図
【図１７】  本発明の第２実施形態における照明装置の一変形例の断面の模式図
【図１８】  本発明の第２実施形態における照明装置の別の変形例の断面の模式図
【符号の説明】
１      光源
２      リフレクタ
３      導光体
４      反射板
５      コリメータ
６      補償板
３０      導光体
３１      スリット
３２      スリットのピッチ
３３      スリットの長さ
４１      反射光
５１      コリメータの入射面
５２      コリメータの出射面
１３１      斜面
【図１】
0003703250.tif 000002
【図２】
0003703250.tif 000003
【図３】
0003703250.tif 000004
【図４】
0003703250.tif 000005
【図５】
0003703250.tif 000006
【図６】
0003703250.tif 000007
【図７】
0003703250.tif 000008
【図８】
0003703250.tif 000009
【図９】
0003703250.tif 000010
【図１０】
0003703250.tif 000011
【図１１】
0003703250.tif 000012
【図１２】
0003703250.tif 000013
【図１３】
0003703250.tif 000014
【図１４】
0003703250.tif 000015
【図１５】
0003703250.tif 000016
【図１６】
0003703250.tif 000017
【図１７】
0003703250.tif 000018
【図１８】
0003703250.tif 000019